(57)【特許請求の範囲】
【請求項１】
撮影に係るパラメータの値が異なる複数の静止画像を取得する取得手段と、
撮影シーンに応じて、前記取得手段により取得される複数の静止画像が異なる間隔で時間的に連続して切り替わる動画像を生成する画像生成手段と、
を備えることを特徴とする画像生成装置。
【請求項２】
撮影に係るパラメータの値を変化させる変更手段を、更に備え、
前記取得手段は、前記変更手段により変更される異なるパラメータの値で撮像手段により撮像される撮像画像を撮影することで、複数の静止画像を取得する、
ことを特徴とする請求項１に記載の画像生成装置。
【請求項３】
撮影に係るパラメータは、シャッタ速度であって、
前記取得手段は、前記変更手段により変更される異なるシャッタ速度で撮影を行い、複数の静止画像を取得する、
ことを特徴とする請求項２に記載の画像生成装置。
【請求項４】
前記変更手段は、前記撮影シーンに応じて異なるように、シャッタ速度を変化させる、
ことを特徴とする請求項２に記載の画像生成装置。
【請求項５】
前記変更手段は、前記撮影シーンに応じて異なるように、シャッタ速度の値、又は変化させる回数を変化させる、
ことを特徴とする請求項４に記載の画像生成装置。
【請求項６】
撮影対象は移動する被写体像であって、
前記移動する被写体像の移動速度を測定する測定手段を更に備え、
前記変更手段は、前記測定手段により測定される移動速度に応じて異なるように、シャッタ速度を変化させる、
ことを特徴とする請求項３に記載の画像生成装置。
【請求項７】
前記変更手段は、前記測定手段により測定される移動速度に応じて異なるように、シャッタ速度の値、又は変化させる回数を変化させる、
ことを特徴とする請求項６に記載の画像生成装置。
【請求項８】
前記変更手段は、前記撮影シーンに応じて異なるように、パラメータを変化させる、
ことを特徴とする請求項２に記載の画像生成装置。
【請求項９】
前記撮影シーンに応じて、前記変更手段が変化させる撮影に係るパラメータの種類を特定する特定手段を更に備え、
前記変更手段は、前記特定手段により特定される種類のパラメータを変化させる、
ことを特徴とする請求項２に記載の画像生成装置。
【請求項１０】
撮像画像内に含まれる注目被写体を検出する検出手段を更に備え、
前記特定手段は、前記検出手段により検出される注目被写体の数に応じて、前記変更手段が変化させる撮影に係るパラメータの種類を特定する、
ことを特徴とする請求項９に記載の画像生成装置。
【請求項１１】
撮像画像内に含まれる被写体像の移動状況を判別する判別手段を更に備え、
前記特定手段は、前記判別手段により判別される移動状況に応じて、前記変更手段が変化させる撮影に係るパラメータの種類を特定する、
ことを特徴とする請求項９に記載の画像生成装置。
【請求項１２】
撮像画像内の複数の領域ごとのフォーカス距離を測定する距離測定手段を更に備え、
前記特定手段は、前記距離測定手段により測定される複数のフォーカス距離に応じて、前記変更手段が変化させる撮影に係るパラメータの種類を特定する、
ことを特徴とする請求項９に記載の画像生成装置。
【請求項１３】
前記画像生成手段は、前記取得手段により取得される複数の静止画像の順番とは異なる順番で再生時に時間的に連続して切り替わる動画像を生成する、
ことを特徴とする請求項１２に記載の画像生成装置。
【請求項１４】
撮像画像内に含まれる注目被写体を検出する検出手段と、
前記検出手段により検出される注目被写体の数に応じて撮影に係るパラメータの種類を特定する特定手段と、
前記特定手段により特定される種類のパラメータを変化させる変更手段と、
前記変更手段により変更される異なるパラメータの値で撮像手段により撮像される撮像画像を撮影することで、複数の静止画像を取得する取得手段と、
前記取得手段により取得される複数の静止画像が時間的に連続して切り替わる動画像を生成する画像生成手段と、
を備えることを特徴とする画像生成装置。
【請求項１５】
撮影に係るパラメータの値が異なる複数の静止画像を取得する取得処理と、
撮影シーンに応じて、前記取得処理により取得される複数の静止画像が異なる間隔で時間的に連続して切り替わる動画像を生成する画像生成処理と、
を含むことを特徴とする画像生成方法。
【請求項１６】
撮影に係るパラメータの値が異なる複数の静止画像を取得する取得機能、
撮影シーンに応じて、前記取得機能により取得される複数の静止画像が異なる間隔で時間的に連続して切り替わる動画像を生成する画像生成機能、
を画像生成装置が有するコンピュータに実現させるための画像生成プログラム。
【発明の詳細な説明】
【技術分野】
【０００１】
本発明は、画像生成装置、画像生成方法、および画像生成プログラムに関する。
【背景技術】
【０００２】
近年のデジタルカメラは、撮像素子や画像処理集積回路の高速化に伴い、動画撮影機能や、連写機能や、ブラケット撮影機能を搭載するものが多くなっている。ここでブラケット撮影機能とは、撮像に係るパラメータを変化させながら複数の静止画像を連続撮影する機能のことをいう。
【０００３】
図８（ａ），（ｂ）は、滝をブラケット撮影した画像の例を示す図である。
図８（ａ）は、シャッタ速度を１／２５０秒で撮影した画像の例である。このとき滝の流れに対してシャッタ速度が速いので、滝は止まって撮影される。これにより滝の流れを緻密に捉えることができるが、その反面、躍動感に欠ける画像となる。
図８（ｂ）は、シャッタ速度を１／４秒で撮影した画像の例である。このとき滝の流れに対してシャッタ速度が遅いので、滝はぶれて撮影される。これにより躍動感に溢れる画像となるが、その反面、滝の流れを緻密に捉えることができない。
【０００４】
ブラケット撮影は、このようにシャッタボタンを一回押すだけで、例えばシャッタ速度を複数段階に変化させて自動的に撮影する機能である。図示していないが、上記以外にも１／８０秒、１／３０秒、１／１２秒のシャッタ速度でも撮影される。ここではシャッタ速度を変化させたが、他の撮影パラメータを変化させてもよい。これによりユーザは、撮影した複数の画像から、事後的に最も好ましいものを選択することができる。ブラケット撮影は、撮り直しができないシーンの撮影には特に有効である。
【０００５】
特許文献１の解決手段には、「同じ被写体に対して露出条件を変えて動画撮像を行うオートブラケッティング撮像が可能な動画撮像装置であって、それぞれ露出条件が異なるｍ（ｍは２以上の整数）種類の露出条件を準備し、１秒間にｎ×ｍ（ｎは２以上の整数）フレームのフレームレートで撮像する撮像手段と、その撮像手段における露出条件を設定する際に、ｍ種類の露出条件を１フレームごとに所定の順番で順次切り換えて設定する露出制御手段とを備える。」と記載されている。これにより、動画撮像後に適切な露光条件の動画情報を選択することができる。
【先行技術文献】
【特許文献】
【０００６】
【特許文献１】特開２００４−８０３７６号公報
【発明の概要】
【発明が解決しようとする課題】
【０００７】
特許文献１に記載されている発明によれば、動画撮像後に適切な露光条件の動画情報を選択することができる。しかしながら、フレームレートより遅いシャッタ速度での撮像や、フォーカス調整をフレームごとに行うことは不可能又は困難である。
【０００８】
そこで、本発明は、画像生成装置、画像生成方法、および画像生成プログラムについて、高い自由度でブラケット撮影を行った動画を生成することを課題とする。
【課題を解決するための手段】
【０００９】
本発明は、上記目的を達成するため、
撮影に係るパラメータの値が異なる複数の静止画像を取得する取得手段と、
撮影シーンに応じて、前記取得手段により取得される複数の静止画像が異なる間隔で時間的に連続して切り替わる動画像を生成する画像生成手段と、
を備えることを特徴とする。
【発明の効果】
【００１０】
本発明によれば、高い自由度でブラケット撮影を行った動画を生成することが可能となる。
【図面の簡単な説明】
【００１１】
【図１】本実施形態におけるデジタルカメラの外観を示す上面図と背面図である。
【図２】デジタルカメラを示す概略の構成図である。
【図３】オート設定によるブラケット撮影処理と画像生成処理に係る論理ブロック図である。
【図４】テーブルのオート設定に係る部分を示す図である。
【図５】テーブルのマニュアル設定に係る部分を示す図である。
【図６】画像生成処理を示すフローチャートである。
【図７】撮影した各画像と動画像との関係を示す図である。
【図８】滝をブラケット撮影した画像の例を示す図である。
【発明を実施するための形態】
【００１２】
以降、本発明を実施するための形態を、各図を参照して詳細に説明する。
本実施形態は、画像生成装置としてデジタルカメラ１に適用した場合を例示したもので、図１（ａ），（ｂ）は、この画像生成装置であるデジタルカメラ１の外観を示す上面図と背面図である。図１（ａ）では、上面図を示している。図１（ｂ）では、上面図に対応する背面図を示している。
このデジタルカメラ１は、静止画像撮影が可能なコンパクトデジタルカメラであり、撮像機能、計時機能などの基本的な機能のほか、ブラケット撮影機能を備えている。
【００１３】
図１（ａ）の上面図に示すように、デジタルカメラ１の本体１１の正面側には光学ズームレンズ２が、背面側には表示部４が設けられている。更に本体１１の上面には、電源ボタン３１と、撮影モードなどを指定するためのモードダイヤル３２と、ＴＥＬＥ（望遠側）／ＷＩＤＥ（広角側）のズームを操作するためのズームレバー３３と、撮影を実行するためのシャッタボタン３４とが設けられている。
本実施形態において、光学ズームレンズ２は本体１１に固定されている。表示部４は、液晶パネルによって構成され、被写体を撮像した画像などを表示する。なお、表示部４は液晶パネルに限定されない。また、デジタルカメラ１自身は表示部を持たず、他の装置と通信して、他の装置のディスプレイに被写体を撮像した画像などを表示させてもよい。
【００１４】
電源ボタン３１は、このデジタルカメラ１の電源のオンとオフとを切り替えるトグル動作のボタンである。
モードダイヤル３２は、デジタルカメラ１の本体１１に回転自在に支持されており、時計方向と反時計方向とに回転自在である。モードダイヤル３２の表面には、モード名称が複数放射状かつほぼ等角度に印刷されており、本体１１側には三角マークが印刷されている。
利用者は、モードダイヤル３２を回転させて「ＢＫＴ」の印刷を本体１１の上面の三角形マークに合わせることで、ブラケット撮影モードを選択することができる。図１（ａ）の上面図は、利用者により、モードダイヤル３２の「ＢＫＴ」が三角形マークに合うように回転され、ブラケット撮影モードが選択されていること示している。
【００１５】
ズームレバー３３は、光学ズーム機能とデジタルズーム機能のズーム倍率の調整指示を行う共通の操作子である。ズームレバー３３は、例えばバネなどにより図面の０時の方向に付勢されており、左右の押圧により左右に回動してＴＥＬＥ又はＷＩＤＥの操作情報が検出される。利用者は、ズームレバー３３を左右いずれかに回動させることで、撮像画像のズーム倍率を調整する。このズームレバー３３は、光学ズームレンズ２とデジタルズーム機能とを併用してズーム倍率を変化させるズーム手段である。
シャッタボタン３４は、撮影開始などを指示する２段押し込み式（半押し、全押し）のボタンである。使用者がシャッタボタン３４を半押しすることにより、デジタルカメラ１は、撮像機構を制御して、ＡＥ（自動露出）処理とＡＦ（自動焦点）処理と、撮影シーン認識処理とを実行する。その後使用者がシャッタボタン３４を全押しすることにより、デジタルカメラ１は、撮像機構を制御して、撮影（撮像画像のキャプチャと記録）を実行する。
【００１６】
図１（ｂ）の背面図に示すように、デジタルカメラ１の本体１１の背面側には、表示部４が設けられ、その右側には、コントロールダイヤル３５と、その中央に位置するセットボタン３６とが設けられている。
コントロールダイヤル３５は、再生画像の送り操作やメニューの選択操作等に使用する上下左右のボタンと、その周囲を囲み各種機能を割り当て可能なダイヤルからなり、このダイヤルに割当て可能な機能には、例えばマニュアルフォーカス、明るさ補正、ホワイトバランス、セルフタイマ、ブラケット撮影シーンのマニュアル設定などがある。
セットボタン３６は、表示部４に表示された画面の選択肢などを決定するボタンであり、例えばブラケット撮影シーンのマニュアル設定の選択肢を決定することができる。
【００１７】
図２は、デジタルカメラ１を示す概略の構成図である。ここでは、ブラケット撮影モードにかかる構成を示し、それ以外の構成を省略している。
図２に示すように、デジタルカメラ１は、光学ズームレンズ２と、ＣＰＵ（Central Processing Unit）５と、ＲＡＭ（Random Access Memory）５１と、ＲＯＭ（Read Only Memory）５２とを備える。デジタルカメラ１は更に、ＣＰＵ５により制御されるレンズ駆動部５３と、撮像部５４と、表示部４と、各部に電源を供給する電源部９とを備えている。光学ズームレンズ２は更に、レンズ駆動部５３に制御されるズームモータ２１および絞りモータ２２を備え、不図示の記憶部にレンズ情報２３を格納している。このレンズ情報２３は、光学ズームレンズ２における複数の焦点距離と、各焦点距離に対応するズーム倍率、Ｆ値と最小絞り値の情報を含み、ＣＰＵ５によって読み取り可能である。
【００１８】
ＣＰＵ５は、ＲＯＭ５２に格納されるファームウェアプログラムを実行し、ＲＡＭ５１に一時的な情報を格納することにより、後記する図３に示す各処理部を実現する。
レンズ駆動部５３は、例えばモータドライバＩＣ（Integrated Circuit）であり、ズームモータ２１を制御して機械的に焦点距離（レンズ位置）をＷＩＤＥ（広角側）とＴＥＬＥ（望遠側）を切り替える。レンズ駆動部５３は更に、絞りモータ２２を制御して機械的に絞り調整を行う。
【００１９】
撮像部５４は、光学ズームレンズ２を介して被写体を撮像し、画像データをＲＡＭ５１へ供給する。撮像部５４は、例えば、ＣＭＯＳ（Complementary Metal Oxide Semiconductor）センサと、ＣＭＯＳセンサから出力されたアナログ画像信号をデジタル画像データに変換するＡ／Ｄ変換部と、を備える。
表示部４は、ライブビュー画像、撮影後のレビュー画像、再生画像を表示すると共に、文字やアイコンや図形などにより、撮影情報や再生情報などを表示する。ここでライブビュー画像とは、撮像部５４が現在撮像している画像を表示部４のサイズに縮小して表示したものである。
電源部９は、例えば二次電池とＤＣ−ＤＣコンバータを含み、不図示の電源ラインを介して、このデジタルカメラ１の各部に電源を供給する回路である。
【００２０】
図３は、ブラケット撮影処理と、画像生成処理に係る論理ブロック図である。
デジタルカメラ１は、変更部６１、撮影部６２、画像生成部６３、テーブル６４、移動速度測定部６５、特定部６６、被写体数検出部６７、移動状況判別部６８、フォーカス距離測定部６９を含んで構成される。
移動状況判別部６８は、撮像画像内に含まれる被写体像の移動状況（移動しているか否か）を、撮像画像内に含まれる被写体像を連続するフレーム間で比較することにより、判別する。被写体数検出部６７は、撮像画像内に含まれる注目被写体及びその数を検出する。フォーカス距離測定部６９は、撮像画像内の複数の領域ごとのフォーカス距離を測定する。
【００２１】
特定部６６は、被写体数検出部６７、移動状況判別部６８、フォーカス距離測定部６９の各出力情報により撮影シーンを認識し、この撮影シーンに応じて、変更部６１が変化させる撮影に係るパラメータの種類を特定する。撮影シーンについては、後記する図４又は図５で詳細に説明する。移動速度測定部６５は、移動する被写体像の移動速度を、撮像画像内に含まれる被写体像が連続するフレーム間で移動するピクセル数により、測定する。
変更部６１は、特定部６６により特定された撮影シーンに応じて異なるように、撮影に係るパラメータのパラメータ値を変化させる。変更部６１が変化させるパラメータには、シャッタ速度、絞り、フォーカス、ホワイトバランスなどがある。
撮影部６２は、この変更部６１によりパラメータ値が変更されるごとに、撮像部５４により撮像される撮像画像を撮影してブラケット撮影処理を行い、複数の静止画像を取得する。
【００２２】
画像生成部６３は、撮影部６２により取得される複数の静止画像から、時間的に連続して切り替わる１つの動画像を生成する。この画像生成部６３は、撮影部６２により撮影されたシャッタ速度より短い時間で静止画像が切り替わるように動画像を生成可能である。
【００２３】
テーブル６４は、撮影シーンと、ブラケット撮影処理の内容と、画像生成処理の内容とが記載されたテーブルである。撮影部６２は、このテーブル６４を参照して、撮影シーンに応じたブラケット撮影を行う。画像生成部６３は、このテーブル６４を参照して、撮影シーンに応じた動画像を生成する。
【００２４】
図４は、テーブル６４のオート設定に係る部分を示す図であり、適宜図１から図３を参照して説明する。
《シャッタ速度のブラケット撮影》
撮像画像に移動する被写体像が含まれるとき、移動状況判別部６８と特定部６６（図３参照）により、値を変化させるパラメータはシャッタ速度であると特定される。すなわち、シャッタ速度のブラケット撮影が行われる。
【００２５】
設定方法には、「被写体像が静止する最速シャッタ速度Ｓ１から被写体判別不能となるシャッタ速度Ｓ２まで変化」と記載されている。この設定方法により、変更部６１（図３参照）は、ブラケット撮影時におけるパラメータごとの条件や撮影枚数を設定する。最速シャッタ速度Ｓ１は、シャッタ速度のブラケット撮影時におけるパラメータの条件であり、これに応じて撮影枚数と、動画像を生成する際の各画像の切替時間と切替順番を決定する。
被写体像が静止する最速シャッタ速度Ｓ１は、移動速度測定部６５（図３参照）が測定した被写体像の移動速度から算出される。被写体が判別不能となるシャッタ速度Ｓ２は、以下の式（１）に最速シャッタ速度Ｓ１を代入して算出される。
【数１】
0006661912.tif 000002
【００２６】
撮影枚数は、変更部６１がシャッタ速度を変化させる回数と等しい。本実施形態では、被写体像が静止する最速のシャッタ速度Ｓ１に応じた枚数が設定されている。
切替時間は、生成した動画像が再生時に複数の静止画像を切り替える時間間隔である。切替順番は、生成した動画像が再生時に複数の静止画像を切り替える順番である。例えば、最速シャッタ速度Ｓ１が１／１０００秒未満のとき、撮影枚数は１０枚、動画像を生成する際の各画像の切替時間は０．１秒、切替順番は高速→低速→高速の順である。
【００２７】
《絞りのブラケット撮影》
撮像画像内に注目被写体が手前に検出され、かつ遠景が存在するとき、被写体数検出部６７、フォーカス距離測定部６９および特定部６６（図３参照）により、値を変化させるパラメータは絞りであると特定される。すなわち、絞りのブラケット撮影が行われる。
設定方法には、「注目被写体にフォーカス調整し、レンズのＦ値Ａ１と最小絞り値Ａ２との比に応じて設定」と記載されている。この設定方法により、変更部６１（図３参照）は、注目被写体にフォーカス調整したのち、ブラケット撮影時におけるパラメータごとの条件や撮影枚数を設定する。絞り比は、ブラケット撮影時のパラメータの条件であり、これに応じて撮影枚数と、動画像を生成する際の各画像の切替時間と切替順番が決定する。
例えば、絞り比が５倍未満のとき、撮影枚数は３枚、動画像を生成する際の各画像の切替時間は０．３秒、切替順番は開放→最小絞り→開放の順である。
【００２８】
《フォーカスのブラケット撮影》
撮像画像内に複数の注目被写体が異なる距離に存在するとき、被写体数検出部６７および特定部６６により、値を変化させるパラメータはフォーカスであると特定される。すなわち、フォーカスのブラケット撮影が行われる。
設定方法には、「注目被写体ごとに順番にフォーカス調整」が記載されている。この設定方法により、変更部６１（図３参照）は、ブラケット撮影時におけるパラメータごとの条件や撮影枚数を設定する。
フォーカスのブラケット撮影において、変更部６１（図３参照）により、注目被写体ごとに順番にフォーカス調整と撮影とが実施されるので、注目被写体数と撮影枚数は等しくなる。動画像を生成する際の各画像の切替時間は０．３秒、切替順番は手前→奥の順である。注目被写体の撮影順番は、距離の順番とは必ずしも一致しない。よって動画像を生成する際には、各画像を距離の順番で切り替えるようにするとよい。
【００２９】
図５は、テーブル６４のマニュアル設定に係る部分を示す図である。
《シャッタ速度のブラケット撮影》
マニュアル設定された撮影シーン名称が「被写体像静止」、「流し撮り」、「被写体像速度選択」、「試し撮り」のとき、変更部６１（図３参照）が値を変化させるパラメータはシャッタ速度である。すなわち、シャッタ速度のブラケット撮影が行われる。各名称に対応して設定方法と、撮影枚数と、動画像を生成する際の各画像の切替時間と切替順番が決定する。
例えば、撮影シーン名称が「被写体像静止」のとき、設定方法には「１／１０００秒〜１秒」が記載され、撮影枚数は５枚である。動画像を生成する際の各画像の切替時間は０．１５秒、切替順番は高速→低速→高速の順である。
【００３０】
《絞りのブラケット撮影》
マニュアル設定された撮影シーン名称が「絞り」のとき、変更部６１が値を変化させるパラメータは絞りである。すなわち、絞りのブラケット撮影が行われる。
設定方法には、「レンズのＦ値Ａ１と最小絞り値Ａ２との比に応じて設定」と記載されている。この設定方法により、変更部６１（図３参照）は、ブラケット撮影時におけるパラメータごとの条件や撮影枚数を設定する。以降は前記する図４で記載したオート設定時の絞りのブラケット撮影の動作と同様である。
【００３１】
《ホワイトバランスのブラケット撮影》
マニュアル設定された撮影シーン名称が「太陽光と昼白色照明」、「太陽光と電球色照明」のとき、変更部６１が値を変化させるパラメータはホワイトバランスである。すなわち、ホワイトバランスのブラケット撮影が行われる。
例えば、撮影シーン名称が「太陽光と昼白色照明」のとき、設定方法には「5500K→6500K」が記載されている。この設定方法により、変更部６１（図３参照）は、色温度を5500Kから6500Kまで変化させる。撮影枚数は、色温度の差に応じた３枚である。動画像を生成する際の各画像の切替時間は０．３秒、切替順番は低色温度→高色温度の順である。
【００３２】
図６は、画像生成処理を示すフローチャートである。この画像生成処理により、オートブラケット撮影と動画ファイルの生成とが行われる。
ユーザがシャッタボタン３４を全押しすると（ステップＳ１０）、画像生成処理が開始する。
最初、特定部６６（図３参照）は、撮影シーンがマニュアル設定されているか否かを判定する（ステップＳ１１）。特定部６６は、撮影シーンがマニュアル設定されているならば（ステップＳ１１→Ｙｅｓ）、マニュアル設定されている撮影シーンを特定し、ステップＳ１３の処理に進む。撮影シーンがマニュアル設定されていないならば（ステップＳ１１→Ｎｏ）、特定部６６は、直前のライブビュー画像表示における撮像画像から被写体像の移動状況、被写体数、各被写体のフォーカス距離などを取得し、「撮影シーン」を自動認識（特定）する（ステップＳ１２）。
【００３３】
変更部６１（図３参照）は、図４又は図５で詳述したテーブル６４を参照して、「撮影シーン」から値を変化させる「パラメータ」、「設定方法」を特定し（ステップＳ１３）、特定した「設定方法」による「パラメータ」ごとの「条件」に応じて「撮影枚数」を特定する（ステップＳ１４）。
【００３４】
撮影部６２（図３参照）は、特定した「パラメータ」、「設定方法」、「撮影枚数」でブラケット撮影を行い、「複数の静止画像」を取得する（ステップＳ１５）。
【００３５】
画像生成部６３（図３参照）は、テーブル６４を参照して、特定した「パラメータ」ごとの「条件」に応じて、動画像を生成する際の「切替時間」、「切替順番」を特定する（ステップＳ１６）。更に画像生成部６３は、撮影した「複数の静止画像」を、特定した「切替時間」、「切替順番」にて繰り返し回数が無限となる動画像を生成し（ステップＳ１７）、図４の処理を終了する。
【００３６】
図７（ａ）〜（ｄ）は、撮影した各画像と動画像との関係を示す図である。
図７（ａ）は、「最速シャッタ速度」１／２５０秒、「撮影枚数」５枚の設定によるシャッタ速度のブラケット撮影時の画像を示している（図４参照）。デジタルカメラ１（図１参照）は、「撮影枚数」５枚の設定に応じて、画像７１ａ〜７１ｅの順にブラケット撮影を実行する。画像７１ａは１／２５０秒のシャッタ速度、画像７１ｂは１／８０秒のシャッタ速度、画像７１ｃは１／３０秒のシャッタ速度、画像７１ｄは１／１２秒のシャッタ速度、画像７１ｅは１／４秒のシャッタ速度で、それぞれ撮影されている。
【００３７】
図７（ｂ）は、画像７１ａ〜７１ｅから、「切替時間」０．２秒、「切替順番」高速→低速の設定により生成した動画像８１を示している（図４参照）。
動画像８１は、「切替時間」０．２秒、「切替順番」高速→低速の設定に応じて、画像７１ａから画像７１ｅまでの順でループ再生するように構成される。この動画像８１の形式は、アニメーションGIFであるが、モーションJPEGなどの任意の動画形式であってもよい。画像７１ｄ，７１ｅのシャッタ速度は、通常の動画のシャッタ速度よりも遅い。このようにデジタルカメラ１は、高い自由度でブラケット撮影を行った動画像を生成することができる。
【００３８】
図７（ｃ）は、「最速シャッタ速度」１／１０００秒、「撮影枚数」７枚の設定によるブラケット撮影時の画像を示している（図４参照）。デジタルカメラ１は、「撮影枚数」７枚の設定に応じて、画像７２ａ〜７２ｇの順にブラケット撮影を実行する。画像７２ａは１／１０００秒のシャッタ速度、画像７２ｂは１／３００秒のシャッタ速度、画像７２ｃは１／１００秒のシャッタ速度、画像７２ｄは１／３０秒のシャッタ速度、画像７２ｅは１／１０秒のシャッタ速度、画像７２ｆは１／３秒のシャッタ速度、画像７２ｇは１秒のシャッタ速度で、それぞれ撮影されている。
【００３９】
図７（ｄ）は、画像７２ａ〜７２ｅから、「切替時間」０．１５秒、「切替順番」高速→低速→高速の設定により生成した動画像８２を示している（図４参照）。
動画像８２は、「切替時間」０．１５秒、「切替順番」高速→低速→高速の設定に応じて、画像７２ａ→画像７２ｇ→画像７２ａの順で、繰り返し回数が無限となるように構成される。画像７２ｇから画像７２ａまでの再生時は、撮影時とは逆順であり、撮影順番とは異なる。このようにデジタルカメラ１は、高い自由度でブラケット撮影を行った動画像を生成することができる。
【００４０】
（本発明の効果）
本発明では、撮影シーンに応じて、シャッタ速度と撮影枚数を自動設定して、ブラケット撮影を行うシャッタ速度ブラケット撮影機能を実現している。例えばライブビュー画像表示中に、被写体像の移動速度を測定し、シャッタ速度と撮影枚数を自動で設定してシャッタ速度ブラケットを行い、撮影した複数の静止画像から動画像を生成する。この動画像により、ブラケット撮影した複数の画像のうちベストショットを短時間で選択可能となる。
動画撮影中にシャッタ速度を変更することができたとしても、撮影時にフレームレートを超えるシャッタ速度への変更はできない。これに対して本発明では、任意のシャッタ速度で撮影した静止画像から動画像を生成することができ、高い自由度でブラケット撮影を行った動画像を生成することが可能となる。
【００４１】
ブラケット撮影は、シャッタ速度以外に絞りやフォーカスでもよい。本発明では、撮影シーン（撮影状況）に応じて、シャッタ速度ブラケット撮影、絞りブラケット撮影、フォーカスブラケット撮影が自動選択される。また、撮影シーンに応じて、複数の静止画像を異なる時間間隔で切り替えて生成する。これによりブラケット撮影を行った動画像を容易に生成可能である。
【００４２】
（変形例）
本発明は、上記実施形態に限定されることなく、本発明の趣旨を逸脱しない範囲で、変更実施が可能であり、例えば、次の（ａ）〜（ｊ）のようなものがある。
（ａ）  シャッタ速度の自動測定は行わず、メニューからユーザが選択してもよい。
（ｂ）  動画像における各画像の切替順番は、ユーザにより選択可能としてもよい。
（ｃ）  動画像の繰り返し回数は、１回のみ、指定回数等、ユーザにより選択可能としてもよい。
（ｄ）  １回のブラケット撮影にて、切替順番が異なる複数の動画像を生成してもよい。
（ｅ）  ブラケット撮影の撮影順番や、その逆順に限られず、任意の切替順番の動画像を生成してもよい。例えば、複数の注目被写体を撮影したときには、その撮影順番とは異なる順番で時間的に連続して切り替わる動画像を生成してもよい。
（ｆ）  各静止画を切り替える際に公知のモーフィング技術を適用して切替を滑らかにしてもよい。この場合、切替時間を長めに設定するとよい。
（ｇ）  ホワイトバランスの選択は、太陽光と昼白色照明と電球色照明に限定されず、温白色照明（3500K）、白色照明（4200K）、昼白色照明（5000K）が選択可能であってもよい。
（ｈ）  レンズは、光学ズームレンズに限定されず、固定焦点レンズであってもよい。
（ｉ）  撮影シーンの自動認識のタイミングは、シャッタ全押し後に限られない。ライブビュー中に撮影シーンを自動認識してもよい。
（ｊ）  画像生成部６３が動画像を生成するための複数の静止画像は、動画像の生成直前に撮影部６２により撮影される画像に限らず、過去に撮影部６２により撮影され図示しない記憶部に記憶されている静止画像や、他の装置により撮影された画像を取得するようにしてもよい。
【００４３】
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
撮影に係るパラメータの値が異なる複数の静止画像を取得する取得手段と、
前記取得手段により取得される複数の静止画像が時間的に連続して切り替わる動画像を生成する画像生成手段と、
を備えることを特徴とする画像生成装置。
＜請求項２＞
撮影に係るパラメータの値を変化させる変更手段を、更に備え、
前記取得手段は、前記変更手段により変更される異なるパラメータの値で撮像手段により撮像される撮像画像を撮影することで、複数の静止画像を取得する、
ことを特徴とする請求項１に記載の画像生成装置。
＜請求項３＞
撮影に係るパラメータは、シャッタ速度であって、
前記取得手段は、前記変更手段により変更される異なるシャッタ速度で撮影を行い、複数の静止画像を取得する、
ことを特徴とする請求項２に記載の画像生成装置。
＜請求項４＞
前記画像生成手段は、前記取得手段が静止画像を取得するために撮影したシャッタ速度の値より短い時間で静止画像が切り替わるように動画像を生成する、
ことを特徴とする請求項３に記載の画像生成装置。
＜請求項５＞
前記変更手段は、撮影シーンに応じて異なるように、シャッタ速度を変化させる、
ことを特徴とする請求項３に記載の画像生成装置。
＜請求項６＞
前記変更手段は、撮影シーンに応じて異なるように、シャッタ速度の値、又は変化させる回数を変化させる、
ことを特徴とする請求項５に記載の画像生成装置。
＜請求項７＞
撮影対象は移動する被写体像であって、
前記移動する被写体像の移動速度を測定する測定手段を更に備え、
前記変更手段は、前記測定手段により測定される移動速度に応じて異なるように、シャッタ速度を変化させる、
ことを特徴とする請求項３に記載の画像生成装置。
＜請求項８＞
前記変更手段は、前記測定手段により測定される移動速度に応じて異なるように、シャッタ速度の値、又は変化させる回数を変化させる、
ことを特徴とする請求項７に記載の画像生成装置。
＜請求項９＞
前記変更手段は、撮影シーンに応じて異なるように、パラメータを変化させる、
ことを特徴とする請求項２に記載の画像生成装置。
＜請求項１０＞
撮影シーンに応じて、前記変更手段が変化させる撮影に係るパラメータの種類を特定する特定手段を更に備え、
前記変更手段は、前記特定手段により特定される種類のパラメータを変化させる、
ことを特徴とする請求項２に記載の画像生成装置。
＜請求項１１＞
撮像画像内に含まれる注目被写体を検出する検出手段を更に備え、
前記特定手段は、前記検出手段により検出される注目被写体の数に応じて、前記変更手段が変化させる撮影に係るパラメータの種類を特定する、
ことを特徴とする請求項１０に記載の画像生成装置。
＜請求項１２＞
撮像画像内に含まれる被写体像の移動状況を判別する判別手段を更に備え、
前記特定手段は、前記判別手段により判別される移動状況に応じて、前記変更手段が変化させる撮影に係るパラメータの種類を特定する、
ことを特徴とする請求項１０に記載の画像生成装置。
＜請求項１３＞
撮像画像内の複数の領域ごとのフォーカス距離を測定する距離測定手段を更に備え、
前記特定手段は、前記距離測定手段により測定される複数のフォーカス距離に応じて、前記変更手段が変化させる撮影に係るパラメータの種類を特定する、
ことを特徴とする請求項１０に記載の画像生成装置。
＜請求項１４＞
前記画像生成手段は、前記取得手段により取得される複数の静止画像の順番とは異なる順番で再生時に時間的に連続して切り替わる動画像を生成する、
ことを特徴とする請求項１３に記載の画像生成装置。
＜請求項１５＞
前記画像生成手段は、撮影シーンに応じて、複数の静止画像が異なる順番で切り替わる動画像を生成する、
ことを特徴とする請求項１に記載の画像生成装置。
＜請求項１６＞
前記画像生成手段は、撮影シーンに応じて、複数の静止画像が異なる間隔で切り替わる動画像を生成する、
ことを特徴とする請求項１に記載の画像生成装置。
＜請求項１７＞
撮影に係るパラメータの値が異なる複数の静止画像を取得する取得処理と、
前記取得処理により取得される複数の静止画像が時間的に連続して切り替わる動画像を生成する画像生成処理と、
を含むことを特徴とする画像生成方法。
＜請求項１８＞
撮影に係るパラメータの値が異なる複数の静止画像を取得する取得機能、
前記取得機能により取得される複数の静止画像が時間的に連続して切り替わる動画像を生成する画像生成機能、
をコンピュータである画像生成装置に実現させるための画像生成プログラム。
【符号の説明】
【００４４】
１  デジタルカメラ  （画像生成装置）
１１  本体
２  光学ズームレンズ
２１  ズームモータ
２２  絞りモータ
２３  レンズ情報
４  表示部
５  ＣＰＵ
５１  ＲＡＭ
５２  ＲＯＭ
５３  レンズ駆動部
５４  撮像部
６１  変更部  （変更手段）
６２  撮影部  （取得手段）
６３  画像生成部  （画像生成手段）
６４  テーブル
６５  移動速度測定部  （測定手段）
６６  特定部  （特定手段）
６７  被写体数検出部  （検出手段）
６８  移動状況判別部  （判別手段）
６９  フォーカス距離測定部  （距離測定手段）
７１ａ〜７１ｅ，７２ａ〜７２ｇ  画像
８１，８２  動画像
９  電源部
【図１】
0006661912.tif 000003
【図２】
0006661912.tif 000004
【図３】
0006661912.tif 000005
【図４】
0006661912.tif 000006
【図５】
0006661912.tif 000007
【図６】
0006661912.tif 000008
【図７】
0006661912.tif 000009
【図８】
0006661912.tif 000010